(57)【特許請求の範囲】
【請求項１】
複数枚の布材と、これら複数枚の布材の間に配置される複数枚の防護プレートとを備えるとともに、上記複数枚の布材の間に、上記複数枚の防護プレートが位置決めされ、かつ、外周が相互に重なり合う状態で収納される複数の防護プレート収納部を形成し、それら複数の防護プレート収納部内に上記複数枚の防護プレートを収納することにより、プロテクター本体を構成しているとともに、上記複数枚の布材がそれぞれ伸縮性のある布材よりなり、上記複数の防護プレート収納部は、それら複数枚の布材の上記防護プレート外周部分を相互に接合することによって形成されている作業用プロテクターであって、上記伸縮性のある複数枚の布材が、上層、中層、下層の少なくとも３枚の布材よりなり、これら３枚の布材の内の上層の布材と中層の布材、中層の布材と下層の布材との間に、それぞれ外周が重なり合う状態で上記複数の防護プレート収納部を形成し、これら複数の防護プレート収納部内に上記複数枚の防護プレートを収納したことを特徴とする作業用プロテクター。
【請求項２】
複数枚の布材と、これら複数枚の布材の間に配置される複数枚の防護プレートとを備えるとともに、上記複数枚の布材の間に、上記複数枚の防護プレートが位置決めされ、かつ、外周が相互に重なり合う状態で収納される複数の防護プレート収納部を形成し、それら複数の防護プレート収納部内に上記複数枚の防護プレートを収納することにより、プロテクター本体を構成しているとともに、上記複数枚の布材がそれぞれ伸縮性のある布材よりなり、上記複数の防護プレート収納部は、それら複数枚の布材の上記防護プレート外周部分を相互に接合することによって形成されている作業用プロテクターであって、上記伸縮性のある複数枚の布材が、ベースとなる共通の布材と該ベースとなる共通の布材に対して重合される上記複数の防護プレート収納部の各防護プレート収納部に対応した複数枚の防護プレート収納部形成用の布材よりなり、これらベースとなる共通の布材と複数の防護プレート収納部の各防護プレート収納部に対応した複数枚の防護プレート収納部形成用の布材との間に、それぞれ外周が重なり合う状態で複数の防護プレート収納部を形成し、これら複数の防護プレート収納部内に上記複数枚の防護プレートを収納したことを特徴とする作業用プロテクター。
【請求項３】
複数枚の布材間に複数の防護プレート収納部を形成する接合手段が、ヒートシール手段であることを特徴とする請求項１又は２記載の作業用プロテクター。
【請求項４】
複数の防護プレート収納部は、縦方向および横方向の何れの方向にも複数形成されていることを特徴とする請求項２記載の作業用プロテクター。
【発明の詳細な説明】
【技術分野】
【０００１】
本願発明は、作業用プロテクターの構成に関し、より詳しくは、ウオータージェット等の作業機を用いた作業に適した作業用プロテクターの構成に関するものである。
【背景技術】
【０００２】
超高圧水をノズルの先端から噴出させて、その噴流で対象物体の切断や、斫り、洗浄などの作業を行うウオータージェット式の作業機（以下、同作業機を単にウオータージェットと言い、同作業機を用いた作業をウオータージェット作業と言う）は、天候の影響を受けず、削岩機のような振動も少なく、粉塵も出ず、騒音も小さい、などの利点から、コンクリート構造物の切断や、斫り、洗浄などの作業に使用されている（いわゆる、ウオータージェット工法）。
【０００３】
ところが、このようなウオータージェット作業では、作業中に作業者側に噴流が反射し、またコンクリートの破片が跳ね返るなどの危険がある。
【０００４】
そこで、このような事故から作業者の体を保護するために、たとえば、左右に長い帯状の複数枚の金属板を上方から下方に一部を重ね合わせながら鎧形に連接し、その表裏両面側を撥水性があり、強度が高い繊維製のカバーで覆ったエプロン型の作業用プロテクターが提案されている。
【０００５】
そして、この作業用プロテクターの場合、上記のように複数枚の金属板を上方から下方に一部重ね合わせながら鎧形に連接するに際しては、当該複数枚の金属板のそれぞれを係止して、それらの配置位置を固定的に維持するポリエステル繊維よりなる芯地を用い、該芯地に対して複数枚の金属板の各々を同金属板の各々に形成したハト目部（又はカシメ部）を介して固定することによって一体化し、その上で、それらを撥水加工された繊維生地よりなる表カバーと撥水加工された繊維生地およびアラミド繊維よりなる繊維シートよりなる裏カバーとの間に綴じ込んで構成されている（例えば特許文献１の構成を参照）。
【０００６】
また、実際の作業では、この作業用プロテクターと共に、顔面保護マスク付きのヘルメットやレガース、アームカバー、ガンカバーなどのプロテクターを組み合わせて装着し、作業性を確保しながら、より効果的な防護機能が図られるようにする。
【先行技術文献】
【特許文献】
【０００７】
【特許文献１】特開２０１４−１８５４０９号公報（図１〜図５参照）
【発明の概要】
【発明が解決しようとする課題】
【０００８】
上記作業用プロテクターの場合、プロテクター本体部を構成する複数枚の帯状の金属板のそれぞれは薄板構造であって、一応可撓性があるものの、それらの全体が重合状態で伸縮性がなく強度が高いポリエステル繊維からなる芯地に対して、ハト目付けまたはカシメ付けにより固定一体化され、さらに、その前後を封筒状に縫い合わされた表カバー部および裏カバー部で封止されている。
【０００９】
しかも、表カバー部は、撥水性が高く、強度も高いが、伸縮性がないポリエステル等の高密度織物により、また、裏カバー部は、同じく撥水性があり、強度も高いが、伸縮性がないポリエステル等の高密度織物に加え、さらに、伸縮性がないが強靭なアラミド繊維シートを組み合わせた２層構造のシート部材により形成されている。
【００１０】
したがって、確かにプロテクター本体部および表カバー部、裏カバー部共に防護強度の高い構成になり、プロテクター全体として十分な強度のものとなる。
【００１１】
しかし、上記のような構成の場合、プロテクター本体部、表カバー部、裏カバー部それぞれの強度は高いが、その反面、柔軟性に欠け、金属板自体に可撓性があるにもかかわらず、プロテクター全体としては自由な可撓性に欠けるものとなる。その結果、装着時の装着感が悪く、作業性にも欠けるものとなる。
【００１２】
そのため、同様の構成を、エプロン型のプロテクターだけでなく、たとえばズボン型のプロテクターや腕カバー型のプロテクター、それらが一体になった防護服型のプロテクターに適用しようとしても適用することができない。
【００１３】
また、プロテクター本体部を構成するにあたっては、上記帯状の複数枚の金属板の一部を重合させながら、ポリエステル繊維製の芯地に高精度にハト目付けまたはカシメ付けてゆくことが必要であるため、製作工程も複雑で、製作コストも高くなる。重量も重い。
【００１４】
本願発明は、このような事情に基づいてなされたものであり、作業者を確実にカバーしながら、しかも、十分な柔軟性があり、エプロン型のプロテクターはもちろん、ズボン型のプロテクターや腕カバー型のプロテクター、それらが一体になった防護服型のプロテクターなどにも、容易に適用することができるウオータージェット作業等に適した作業用のプロテクターを提供することを目的とするものである。
【課題を解決するための手段】
【００１５】
本願発明は、上述の問題を解決するために、次のような有効な課題解決手段を備えて構成されている。
【００１６】
（１）請求項１の発明の課題解決手段
この発明の課題解決手段は、複数枚の布材と、これら複数枚の布材の間に配置される複数枚の防護プレートとを備えるとともに、上記複数枚の布材の間に、上記複数枚の防護プレートが位置決めされ、かつ、外周が相互に重なり合う状態で収納される複数の防護プレート収納部を形成し、それら複数の防護プレート収納部内に上記複数枚の防護プレートを収納することにより、プロテクター本体を構成しているとともに、上記複数枚の布材がそれぞれ伸縮性のある布材よりなり、上記複数の防護プレート収納部は、それら複数枚の布材の上記防護プレート外周部分を相互に接合することによって形成されている作業用プロテクターであって、上記伸縮性のある複数枚の布材が、上層、中層、下層の少なくとも３枚の布材よりなり、これら３枚の布材の内の上層の布材と中層の布材、中層の布材と下層の布材との間に、それぞれ外周が重なり合う状態で上記複数の防護プレート収納部を形成し、これら複数の防護プレート収納部内に上記複数枚の防護プレートを収納したことを特徴としている。
【００１７】
このような構成によれば、複数枚の布材の各々がそれぞれ伸縮性のある布材により形成されており、それら布材の間に形成される複数の防護プレート収納部部分も伸縮可能となっている。そして、それら複数の防護プレート収納部内に、複数枚の防護プレートが、それぞれその外周部分が相互に重なり合う状態で収納される。
【００１８】
したがって、複数の防護プレート収納部内に収納された複数枚の防護プレートは、それぞれその外周の一部が相互に重なり合う状態となっていても、上記のように複数の防護プレート収納部自体が伸縮可能となっていることにより、相互に重なり合う部分でも相対的に自由に変形することができる。
【００１９】
しかも、その場合において、防護プレート自体に十分な可撓性があるものを選べば、その変形は、より柔軟なものとなる。
【００２０】
また、このように防護プレート収納部内において、防護プレートが変形しても、その時の変形は、防護プレート収納部自体が伸縮可能となっていることから、他方側が持ち上がる一方、一方側が防護プレート収納部の一端側に拘束されるようになるだけであり、収納位置がずれるようなことはない。
【００２１】
このため、自由な変形が可能でありながら、防護プレートによる確実な防護機能が維持される。
【００２２】
さらに、この発明の課題解決手段では、上記の構成において、伸縮性のある複数枚の布材が、上層、中層、下層の少なくとも３枚の布材よりなり、これら３枚の布材の内の上層の布材と中層の布材、中層の布材と下層の布材との間に、それぞれ外周が重なり合う状態で複数の防護プレート収納部を形成し、これら複数の防護プレート収納部内に上記複数枚の防護プレートを収納したことを特徴としている。
【００２３】
このような構成によれば、上層、中層、下層の少なくとも３枚の布材が各々伸縮性のある布材により形成されており、これら３枚の布材の間に形成される複数の防護プレート収納部部分も伸縮可能となっている。そして、それら複数の防護プレート収納部内に、複数枚の防護プレートが、それぞれその外周が相互に重なり合う状態で収納される。
【００２４】
したがって、複数の防護プレート収納部内に収納された複数枚の防護プレートは、それぞれその外周の一部が相互に重なり合う状態となっていても、複数の防護プレート収納部自体が伸縮可能となっていることにより、相互に重なり合う部分でも相対的に自由に変形することができる。
【００２５】
しかも、その場合、防護プレート自体に可撓性があることから、その変形は、より柔軟なものとなる。
【００２６】
また、このように防護プレート収納部内において、防護プレートが変形しても、その時の変形は、防護プレート収納部自体が伸縮可能となっていることから、他方側が持ち上がる一方、一方側が防護プレート収納部の一端側に拘束されるようになるだけであり、収納位置がずれるようなことはない。
【００２７】
また、このような３枚構造の場合、下層側または上層側の防護プレートを所定の間隔をあけて並列に配置し、それらの間に上層側または下層側の防護プレートを重なる形で配置すれば足りるので、全体の厚さが薄いフラットなプロテクターをつくるのに適している。
【００２８】
このため、十分に自由な変形が可能でありながら、防護機能の高い作業用プロテクターが実現される。
【００２９】
（２）請求項２の発明の課題解決手段
この発明の課題解決手段は、複数枚の布材と、これら複数枚の布材の間に配置される複数枚の防護プレートとを備えるとともに、上記複数枚の布材の間に、上記複数枚の防護プレートが位置決めされ、かつ、外周が相互に重なり合う状態で収納される複数の防護プレート収納部を形成し、それら複数の防護プレート収納部内に上記複数枚の防護プレートを収納することにより、プロテクター本体を構成しているとともに、上記複数枚の布材がそれぞれ伸縮性のある布材よりなり、上記複数の防護プレート収納部は、それら複数枚の布材の上記防護プレート外周部分を相互に接合することによって形成されている作業用プロテクターであって、上記伸縮性のある複数枚の布材が、ベースとなる共通の布材と該ベースとなる共通の布材に対して重合される上記複数の防護プレート収納部の各防護プレート収納部に対応した複数枚の防護プレート収納部形成用の布材よりなり、これらベースとなる共通の布材と複数の防護プレート収納部の各防護プレート収納部に対応した複数枚の防護プレート収納部形成用の布材との間に、それぞれ外周が重なり合う状態で複数の防護プレート収納部を形成し、これら複数の防護プレート収納部内に上記複数枚の防護プレートを収納したことを特徴としている。
【００３０】
このような構成によれば、複数枚の布材の各々がそれぞれ伸縮性のある布材により形成されており、それら布材の間に形成される複数の防護プレート収納部部分も伸縮可能となっている。そして、それら複数の防護プレート収納部内に、複数枚の防護プレートが、それぞれその外周部分が相互に重なり合う状態で収納される。
【００３１】
したがって、複数の防護プレート収納部内に収納された複数枚の防護プレートは、それぞれその外周の一部が相互に重なり合う状態となっていても、上記のように複数の防護プレート収納部自体が伸縮可能となっていることにより、相互に重なり合う部分でも相対的に自由に変形することができる。
【００３２】
しかも、その場合において、防護プレート自体に十分な可撓性があるものを選べば、その変形は、より柔軟なものとなる。
【００３３】
また、このように防護プレート収納部内において、防護プレートが変形しても、その時の変形は、防護プレート収納部自体が伸縮可能となっていることから、他方側が持ち上がる一方、一方側が防護プレート収納部の一端側に拘束されるようになるだけであり、収納位置がずれるようなことはない。
【００３４】
このため、自由な変形が可能でありながら、防護プレートによる確実な防護機能が維持される。
【００３５】
さらに、この発明の課題解決手段の構成では、上記の構成において、伸縮性のある複数枚の布材が、ベースとなる共通の布材と該ベースとなる共通の布材に対して重合される複数の防護プレート収納部の各防護プレート収納部に対応した複数枚の防護プレート収納部形成用の布材よりなり、これらベースとなる共通の布材と複数の防護プレート収納部の各防護プレート収納部に対応した複数枚の防護プレート収納部形成用の布材との間に、それぞれ外周が重なり合う状態で複数の防護プレート収納部を形成し、これら複数の防護プレート収納部内に複数枚の防護プレートを収納している。
【００３６】
したがって、複数の防護プレート収納部内に収納された複数枚の防護プレートは、それぞれその外周の一部が相互に重なり合う状態となっていても、上記のように複数の防護プレート収納部自体が伸縮可能となっていることにより、相互に重なり合う部分でも相対的に自由に変形することができる。
【００３７】
しかも、その場合において、上記請求項１の発明の課題解決手段の場合と同様に、防護プレート自体に十分に可撓性があるものを選べば、その変形は、より柔軟なものとなる。
【００３８】
また、このように防護プレート収納部内において、防護プレートが変形しても、その時の変形は、防護プレート収納部自体が伸縮可能となっていることから、他方側が持ち上がる一方、一方側が防護プレート収納部の一端側に拘束されるようになるだけであり、収納位置がずれるようなことはない。
【００３９】
このため、自由な変形が可能でありながら、防護プレートによる確実な防護機能が維持される。
【００４０】
（３）請求項３の発明の課題解決手段
この発明の課題解決手段は、上記請求項１又は２に係る発明の課題解決手段において、複数枚の布材間に複数の防護プレート収納部を形成する接合手段が、ヒートシール手段であることを特徴としている。
【００４１】
このような構成によると、複数枚の布材の各布材間、上層の布材と中層の布材間および中層の布材と下層の布材間、ベースとなる共通の布材と複数の防護プレート収納部の各防護プレート収納部に対応した複数枚の防護プレート収納部形成用の布材間を、相互にヒートシールするのみで、容易に、しかも正確な位置関係で、その外周の一部が相互に重なり合う複数の防護プレート収納部を形成することができる。
【００４２】
また、ヒートシールによる布材相互の接合力は、接着剤等による接合の場合に比べて強力であり、より安定した、保持力の高い防護プレート収納部を形成することができる。
【００４３】
また、このヒートシールに際して、ヒートシールテープを使用すると、耐熱性の高い布材に対応することができるとともに、接合力が向上する。また、予め相互の布材同士を仮止めしておくことが可能になることから、ヒートシール作業が容易になる。
【００４４】
（４）請求項４の発明の課題解決手段
この発明の課題解決手段は、上記請求項２に係る発明の課題解決手段において、複数の防護プレート収納部は、縦方向および横方向の何れの方向にも複数形成されていることを特徴としている。
【００４５】
このような構成によると、より防護プレート相互間の相対的な変形が容易になり、プロテクター全体の変形も容易になるので、エプロン型のプロテクターだけでなく、ズボン型のプロテクターや腕カバー型のプロテクター、それらが一体になった防護服型のプロテクターなどに、より適したものとなる。
【発明の効果】
【００４６】
以上の結果、この出願の発明によると、次のような有益な効果を得ることができる。
【００４７】
すなわち、複数枚の布材の間に、外周が確実に重なり合う状態で、複数枚の防護プレートを位置ずれすることなく確実に配置することができるので、きわめて防護強度が高い、安全な作業用のプロテクターを提供することができる。
【００４８】
しかも、複数枚の布材がそれぞれ伸縮性のある布材により形成されており、それら布材の間に形成される複数の防護プレート収納部も伸縮可能となっている。したがって、形成されるプロテクター本体部は、柔軟性に優れ、防護プレート自体に可撓性があることとも相まって、プロテクター全体としても自由な変形が可能となる。
【００４９】
その結果、装着時の装着感が良好で、作業性に優れたものとなり、従来のようなエプロン型のプロテクターだけでなく、たとえばズボン型のプロテクターや腕カバー型のプロテクター、それらが一体になった防護服型のプロテクターなどにも、任意に適用することができるようになる。
【００５０】
また、プロテクター本体部を形成するに際し、従来のように、帯状の複数枚の金属板の一部を重合させながら、ポリエステル繊維製の芯地に高精度にハト目付けまたはカシメ付けてゆくような複雑な作業が要らず、製作が容易で、製作コストも安価となる。
【００５１】
また、重量も小さく、より軽量なものとすることができる。
【図面の簡単な説明】
【００５２】
【図１】この出願の発明の実施の形態１に係る作業用プロテクターのプロテクター本体部の構成を示す断面図（図３のＡ−Ａ断面図）である。
【図２】この出願の発明の実施の形態１に係る作業用プロテクターのプロテクター本体部の構成を示す一部切り欠き平面図（装着状態の正面図）である。
【図３】この出願の発明の実施の形態１に係る作業用プロテクターのプロテクター本体部の構成を示す平面図（装着状態の正面図）である。
【図４】この出願の発明の実施の形態２に係る作業用プロテクターのプロテクター本体要部の構成を示す断面図（図５のＢ−Ｂ断面図）である。
【図５】この出願の発明の実施の形態２に係る作業用プロテクターのプロテクター本体下部側部分の構成および構成過程（初期）を示す説明用平面図（正面図）である。
【図６】この出願の発明の実施の形態２に係る作業用プロテクターのプロテクター本体下部側部分の構成および構成過程（途中）を示す説明用平面図（正面図）である。
【図７】この出願の発明の実施の形態２に係る作業用プロテクターのプロテクター本体中部左側部分の構成を示す平面図（正面図）である。
【図８】この出願の発明の実施の形態２に係る作業用プロテクターのプロテクター本体中部右側部分の構成を示す平面図（正面図）である。
【図９】この出願の発明の実施の形態２に係る作業用プロテクターのプロテクター本体上部側部分の構成を示す平面図（正面図）である。
【図１０】この出願の発明の実施の形態２に係る作業用プロテクターのプロテクター本体部の全体構成を示す平面図（装着状態における正面図）である。
【発明を実施するための形態】
【００５３】
次に、添付の図面を参照して、この出願の発明の実施の形態に係る作業用プロテクターの要部及び全体の構成、並びに作用効果について説明する。
【００５４】
すでに述べたように、この出願の発明は、作業者を確実にカバーしながら、しかも、十分な柔軟性があり、エプロン型のプロテクターはもちろん、ズボン型のプロテクターや腕カバー型のプロテクター、それらが一体になった防護服型のプロテクターなどにも、容易に適用することができるウオータージェット作業等に適した作業用のプロテクターを提供することを目的として構成されており、この出願の発明の実施の形態に係る作業用プロテクターの場合にも、同様の目的を有して構成されている。
【００５５】
したがって、この実施の形態に係る作業用プロテクターは、エプロン型のプロテクターだけでなく、ズボン型のプロテクターや腕カバー型のプロテクター、それらが一体になった防護服型のプロテクターなどに有効に適用することができるように構成されているが、以下の説明では、その構成を分かりやすくするために、一例として、前述した従来例の場合と同様のエプロン型の作業用プロテクターに適用した場合で説明する。
（実施の形態１）
先ず、図１〜図３は、この出願の発明の実施の形態１に係る作業用プロテクターの要部および全体の構成を示している。
【００５６】
この出願の発明の実施の形態１に係る作業用プロテクターは、そのプロテクター本体部１０が、たとえば図１に示すように、伸縮性のある上層１、中層２、下層３の少なくとも３層（３枚）の布材と、これら３層の布材１〜３の間に収納される帯状の複数枚の防護プレート４，４・・とを備え、上記上層の布材１と中層の布材２、上記中層の布材２と下層の布材３との間に、それぞれ前後幅方向の外周の一部（所定幅部分）が相互に（上下に）重なり合う状態で帯状の複数の防護プレート収納部５，５・・を形成し、これら複数の防護プレート収納部５，５・・内に上記複数枚の防護プレート４，４・・をそれぞれ前後幅方向の外周の一部（所定幅部分）が相互に重なり合う状態で鎧の防護構造を形成するように収納して形成されている。
【００５７】
上層、中層、下層の少なくとも３層の布材１〜３は、それぞれ強靭で、破れにくく、縦および横の両方向に所定の弾力係数を有して伸縮するニット系の合成繊維織物（２ウエイ生地）が採用されている。
【００５８】
また、帯状の防護プレート４，４・・には、たとえばＳＵＳ３０４製の金属薄板などの成形性が高く、軽量で、しかも可撓性がある薄板が採用されているが、必要に応じ、ＦＲＰなどの強化プラスティックプレートで、可撓性のあるものを採用することもできる。
【００５９】
ここで、上記上層、中層、下層の少なくとも３層の布材１〜３は、例えば図３に示すように、エプロン型にカットされ、位置ずれすることなく、完全に重合するように重ねられており、上記帯状の複数の防護プレート収納部５，５・・、および、これら複数の防護プレート収納部５，５・・内に収納される上記帯状の複数枚の防護プレート４，４・・は、当該エプロンの形状に対応した左右方向の長さと上下方向の幅を有して形成されている。
【００６０】
このような構成によれば、まず上層、中層、下層の少なくとも３層の布材１〜３が、それぞれ強靭で、破れにくく、伸縮性のある布材により形成されており、これら３層の布材１〜３の全体およびこれら３層の布材１〜３の間に形成される帯状の複数の防護プレート収納部５，５・・部分も強靭で、破れにくく、伸縮可能となる。そして、それら複数の帯状の防護プレート収納部５，５・・内に、同じく帯状の複数枚の防護プレート４，４・・が、たとえば図２に示すように、それぞれ前後幅方向の外周の一部（所定幅部分）が相互に（上下に）重なり合う状態で収納されている。この上下に位置する防護プレート４，４・・相互の重なり幅は、着用時において変形する体の部位の最大変形量を考慮し、同変形が生じた場合にも、必要な重なり幅を確保することができる幅に設定されている。
【００６１】
したがって、上記帯状の複数の防護プレート収納部５，５・・内に収納された上記帯状の複数枚の防護プレート４，４・・は、それぞれその外周の幅方向の一部が相互に重なり合う状態となっていても、複数の防護プレート収納部５，５・・自体（その上下布材１，２又は２，３）が伸縮可能となっていることにより、本来の適切な収納位置にありながら、相互に重なり合う部分で相対的に自由に変形することができる。
【００６２】
しかも、その場合、防護プレート４，４・・自体にも可撓性があることから、その変形は、より柔軟なものとなる。
【００６３】
また、このように防護プレート収納部５，５・・内において、防護プレート４，４・・が変形しても、その時の変形は、防護プレート収納部５，５・・自体（その上下布材１，２又は２，３）が伸縮可能となっていることから、防護プレート４，４・・の他端側４ａ,４ａ・・が持ち上がる一方、基端側４ｂ,４ｂ・・が防護プレート収納部５，５・・の基端側５ｂ,５ｂ・・に拘束されるようになるだけであり、その収納位置がずれるようなことはない。
【００６４】
このため、作業時の体の動きに応じた自由な変形が可能でありながら、その防護面全体に亘って複数枚の防護プレート４，４・・による確実な防護機能が維持される。
【００６５】
そして、この実施の形態の場合、上層の布材１と中層の布材２、中層の布材２と下層の布材３との間に、それぞれ外周の一部が相互に重なり合う状態で形成される上記帯状の複数の防護プレート収納部５，５・・は、たとえば上層の布材１と中層の布材２および中層の布材２と下層の布材３を、たとえば図１、図２に示すような位置関係で、周囲および相互の間の隣り合う離間幅部分を接着機能のあるヒートシールテープ６，６・・を介して相互にヒートシール（熱融着接合）することにより封止された筒袋状に形成され、その中に帯状の防護プレート４，４・・が封入されている。
【００６６】
この防護プレート４，４・・の防護プレート収納部５，５・・内への封入は、上記ヒートシールによって該防護プレート収納部５，５・・を形成するに際して、該防護プレート収納部５．５・・の左右両端側（長手方向一端側）の何れか一端側をヒートシールすることなく残しておいて、その開口部を防護プレート４．４・・の挿入口として挿入し、挿入後に当該開口部をヒートシールすることによって封入する。
【００６７】
なお、図１の断面図の表現では、ヒートシール完了後も、ヒートシールテープ６が残っているような画き方になっているが、これは単に分かりやすくするためのもので、実際には溶けてしまって布材１と布材２、布材２と布材３が相互に接合一体化された状態となる。
【００６８】
このような構成によると、上層の布材１と中層の布材２および中層の布材２と下層の布材３を、図示のような所定の位置関係で相互にヒートシールするのみで、容易に、しかも正確な位置関係で、外周の一部が相互に重なり合う複数の防護プレート収納部５，５・・を形成することができる。
【００６９】
また、上記ヒートシールによる布材１と布材２、布材２と布材３相互の接合部は、接着機能のあるヒートシールテープ６を介して予め仮止めされるので、以後のヒートシール作業が容易である。また、ヒートシール完了後は、相互の素材が融着して一体化されるので、その接合力は強力であり、より安定した、保持力の高い防護プレート収納部５，５・・を形成することができる。
【００７０】
しかも、この実施の形態の場合、以上の構成においていて、上記複数の防護プレート収納部５，５・・は、例えば図３に示されるように、縦方向および横方向の何れの方向にもそれぞれ複数形成されている。
【００７１】
このような構成によると、上記複数の防護プレート収納部５，５・・部分に収納された防護プレート４，４・・相互間の相対的な変形が一層容易になり、プロテクター本体部１０全体の変形も容易になるので、エプロン型のプロテクターだけでなく、ズボン型のプロテクターや腕カバー型のプロテクター、それらが一体になった防護服型のプロテクターを構成する場合に、より適したものとなる。
【００７２】
これらの結果、この実施の形態の構成によると、次のような有益な効果を得ることができる。
【００７３】
上層、中層、下層の少なくとも３層の布材１〜３の間に、外周の一部が確実に重なり合う状態で複数枚の防護プレート４，４・・を位置ずれすることなく確実に配置することができるので、防護強度が高い作業用のプロテクターを提供することができる。
【００７４】
しかも、上層、中層、下層の少なくとも３層の布材１〜３がそれぞれ伸縮性のある布材により形成されており、それら３層の布材１〜３の間に形成される複数の防護プレート収納部５，５・・も伸縮可能となっている。したがって、形成されるプロテクター本体部１０は、柔軟性に優れ、防護プレート４，４・・自体に可撓性があることとも相まって、プロテクター全体としても自由な変形が可能となる。
【００７５】
その結果、装着時の装着感が良好で、作業性に優れたものとなり、従来のようなエプロン型のプロテクターだけでなく、たとえばズボン型のプロテクターや腕カバー型のプロテクター、それらが一体になった防護服型のプロテクターなどにも、任意に適用することができるようになる。
【００７６】
また、プロテクター本体部１０を形成するに際し、従来のように、帯状の複数枚の金属板の一部を重合させながら、ポリエステル繊維製の芯地に高精度にハト目付けまたはカシメ付けてゆくような複雑な作業が要らず、製作が容易で、製作コストも安価となる。また、重量も小さく、遥かに軽量なものとすることができる。
【００７７】
このように構成されたプロテクター本体部１０には、特に図示はしていないが、表面側には表カバー、裏面側には裏カバーが設けられる。
【００７８】
これら表カバーおよび裏カバーには、たとえば撥水加工が施されたポリエステル繊維生地などの防水性がある強度の高い合成繊維素材が採用される。また、裏カバーには、同繊維素材に加えて、さらに強度の高いアラミド繊維シートを重ねた２層構造のシートを採用することもできる。
（実施の形態２）
次に、図４〜図１０は、この出願の発明の実施の形態２に係る作業用プロテクターの要部および全体の構成を示している。
【００７９】
この出願の発明の実施の形態２に係る作業用プロテクターの場合にも、上記実施の形態１の場合と同様にエプロン型の作業用プロテクターを例として構成しているが、この実施の形態２の構成では、そのプロテクター本体部における防護プレートおよび防護プレート収納部が、上記実施の形態１のように、実施対象製品（エプロン）の形状に応じ、作業用プロテクター本体部分の左側から右側までの全体に亘って延びる帯状に長い形状の単一のものではなくて、略正方形状に近い形をしていて、縦方向にはもちろん、横方向にも複数個配置されるようになっていて、それらの各々が左右および上下各位置で相互に上下に重なりながら屋根瓦状（または鱗状）に設けられているのが特徴である。
【００８０】
そして、それにより、上下、左右、斜め、各方向におけるより細かな変形を可能とし、より柔軟で、より作業性、装着感が良くなるようにして、単にエプロン型のプロテクターだけでなく、ズボン型のプロテクターや腕カバー型のプロテクター、それらが一体になった防護服型のプロテクターなどに、一層有効に適用することができるようにしている。
【００８１】
すなわち、この出願の発明の実施の形態２に係る作業用プロテクターは、そのプロテクター本体部２０が、たとえば図４に示すように、伸縮性のあるベースとなる基布（適用製品の全体形状に対応した布材）２１と、該基布２１の上に配置接合され、複数の防護プレート２２，２２・・の収納部２３，２３・・を形成する伸縮性のある複数枚の防護プレート収納部形成布２４，２４・・と、該複数枚の防護プレート収納部形成布２４，２４・・により形成された複数の防護プレート収納部２３，２３・・と、該複数の防護プレート収納部２３，２３・・内に収納された複数の防護プレート２２，２２・・とから構成されている。
【００８２】
この実施の形態の場合、上記複数の防護プレート収納部２３，２３・・は、上記基布２１の防護面領域の全体に亘り、縦方向および横方向の各方向に、それぞれ左右前後幅方向の外周の一部（所定幅部分）が順次上下に重なり合う位置関係で、複数配設されており、それら複数の防護プレート収納部２３，２３・・内に複数枚の防護プレート２２，２２・・が各々左右および前後各方向の外周の一部（所定幅部分）が上下に重なり合う状態で収納されている。
【００８３】
このような防護プレート収納部２３，２３・・を形成する防護プレート収納部形成布２４，２４・・の縦横寸法は、図５から明らかなように、防護プレート２２．２２・・の縦横寸法よりも所定幅大きく形成されている。そして、それによりヒートシールによる有効な接合面が確保され、同接合によってポケット状の防護プレート収納部２３，２３・・が形成されるようになっている。また、防護プレート収納部２３，２３・・および防護プレート２２，２２・・は、それぞれ４隅のコーナー部がアール面となっていて、防護プレート収納部２３，２３・・内で防護プレート収納部２２，２２・・が動いた場合にも、基布２１および防護プレート収納部形成布２４，２４・・が破れにくいように構成されている。また、それによって、防護プレート２２，２２・・が斜め方向にもスムーズに動けるようになっている。
【００８４】
上記基布２１及び複数枚の防護プレート収納部形成布２４，２４・・には、それぞれ強靭で、破れにくく、縦および横の両方向に所定の弾力係数を有して自由に伸縮するニット系の合成繊維織物（２ウエイ生地）が採用されている。
【００８５】
また、防護プレート２２，２２・・には、たとえばＳＵＳ３０４製の金属薄板などの成形性が高く、軽量で、しかも可撓性がある薄板が採用されているが、これは、必要に応じ、ＦＲＰなどの強化プラスティックプレートで、同様の可撓性のあるものを採用することもできる。
【００８６】
以上のように、共通する１枚の基布２１に対して、縦および横の各方向に複数の防護プレート収納部２３，２３・・を個別に形成してゆくに際しては、種々の方法が考えられるが、この実施の形態の場合には、上記基布２１上の防護プレート収納部２３，２３・・を形成すべき領域（図１０参照）の各々に対して、たとえば図４および図５、図６に示すように、ヒートシールテープ６，６・・を介して、上下、左右に所定幅だけ重ね合わせ、ヒートシールテープ６，６・・介設部を加熱溶着（ヒートシール）することによって、最終的に上記ポケット状の防護プレート収納部２３，２３・・を形成する。
【００８７】
この場合、同最初の防護プレート収納部形成工程では、当該ポケット状の防護プレート収納部２３，２３・・の例えば上端側（図５の上端側を参照）に防護プレート２２，２２・・の挿入口２３ａ，２３ａ・・を残して置き、同挿入口２３ａ，２３ａ・・から防護プレート２２，２２・・を挿入した後に、同挿入口２３ａ，２３ａ・・部分をヒートシールテープ６，６・・を介して加熱溶着することによって閉じるようにしている。これにより、防護プレート２２，２２・・が確実に位置決めされた状態で封入され、安定した状態で収納される。
【００８８】
これらの構成及び形成工程は、図１０に示すプロテクター本体部２０（装着状態に対応した正面状態）における下部側２０Ａ部分（図５、図６参照）のみでなく中部側２０Ｂ部分（図７、図８参照）、上部側２０Ｃ部分（図９参照）でも全く同様であり、同様に構成され、同様に形成される。
【００８９】
すなわち、図７、図８に示す中部側２０Ｂ両側部分の上端のもの、また図９に示す上部側２０Ｃ部分の両側のものなどは、一部に方形ではない三角形状の防護プレート２２，２２・・および防護プレート収納部２３，２３・・を有するが、それら各部分でも、その平面（正面）形状が異なるだけで、その全体の構成および形成方法は全く同様であり、同様に重ねながら構成してゆくことができる。
【００９０】
なお、以上の説明で使用した図４の断面構造では、ヒートシールテープ６，６・・が溶着しておらず、基布２１と右に２枚目の防護プレート、３枚目の防護プレート２２との間に大きな隙間Ｘ，Ｘができた状態で画かれているが、これはヒートシール前とヒートシール後の構成を兼用して説明していること、また作図上、基布２１及び防護プレート収納部形成布２４，２４の厚さを実際より厚く画いたことと、作図の簡略化などによるものであり、実際には、ヒートシールテープ６，６・・は溶融され、かつ基布２１および防護プレート２２，２２および防護プレート収納部形成布２４，２４の厚さが薄いことから、相互に殆ど隙間なく接合又は重合された状態となる。
【００９１】
このような構成によれば、まず上記基布２１および複数の防護プレート収納部形成布２４，２４・・が、それぞれ強靭で、破れにくく、伸縮性のある布材により形成されており、これら基布２１と複数枚の防護プレート収納部形成布２４，２４・・との間に形成される複数の防護プレート収納部２３，２３・・部分も強靭で、破れにくく、伸縮可能となる。そして、それら複数の防護プレート収納部２３，２３・・内に、複数枚の防護プレート２２，２２・・が、たとえば図５〜図９および図１０に示すように、それぞれ前後左右方向の外周の所定幅部分が相互に（上下に）重なり合う状態で収納されている（もちろん、図１０のエプロン形状外周側には重なり合う部分は必要ないので形成しない）。
【００９２】
この上下に位置する防護プレート２２，２２・・相互の重なり幅は、当然ながら、着用時において変形する体の部位の最大変形量を考慮し、同変形が生じた場合にも、必要な重なり幅を確保することができる幅に設定されている。
【００９３】
したがって、上記複数の防護プレート収納部２３，２３・・内に収納された複数枚の防護プレート２２，２２・・は、それぞれその外周の幅方向の一部が相互に重なり合う状態となっていても、複数の防護プレート収納部２３，２３・・自体（その上下布材２４，２１）が伸縮可能となっていることにより、本来の適切な収納位置にありながら、相互に重なり合う部分で相対的に自由に変形することができる。
【００９４】
しかも、その場合、防護プレート２２，２２・・自体にも可撓性があることから、その変形は、より柔軟なものとなる。
【００９５】
また、このように防護プレート収納部２３，２３・・内において、防護プレート２２，２２・・が変形しても、その時の変形は、防護プレート収納部２３，２３・・自体（その上下布材２４，２１）が伸縮可能となっていることから、防護プレート２２，２２・・の他端側が持ち上がる一方、基端側が防護プレート収納部２３，２３・・の基端側に拘束されるようになるだけであり、その収納位置がずれるようなことはない。
【００９６】
このため、作業時の体の動きに応じた自由な変形が可能でありながら、その防護面全体に亘って複数枚の防護プレート２２，２２・・による確実な防護機能が維持される。
【００９７】
そして、この実施の形態の場合、上記１枚の基布２１と複数枚の防護プレート収納部形成布２４，２４・・との間に、それぞれ外周の一部が相互に重なり合う状態で形成される上記複数の防護プレート収納部２３，２３・・は、上記基布２１と防護プレート収納部形成布２４，２４・・を、図４〜図９、図１０に示すような位置関係で、周囲および相互の間の隣り合う離間幅部分をヒートシールテープ６，６・・を介して相互にヒートシール（熱融着接合）することによりポケット状に形成され、その中に防護プレート２２，２２・・が確実に封入されている。
【００９８】
そして、この防護プレート２２，２２・・の防護プレート収納部２３，２３・・内への封入は、上記ヒートシールによって該防護プレート収納部２３，２３・・を形成するに際して、該防護プレート収納部２３，２３・・の左右両端側（長手方向一端側）の何れか一端側所定幅部分をヒートシールすることなく残しておいて、それらの開口２３ａ，２３ａ・・を防護プレート２２，２２・・の挿入口として挿入し、挿入後に当該開口２３ａ，２３ａ・・をヒートシールすることによって封入する。この場合、同開口２３ａ、２３ａ・・の開口幅は、上記基布２１および防護プレート収納部形成布２４，２４・・が伸縮性のあるニット部材からなることにより、それほど大きくする必要はなく、挿入される防護プレート２２，２２・・の幅よりも小さくて足りる。
【００９９】
なお、このように構成されたプロテクター本体部２０には、特に図示はしていないが、表面側には表カバー、裏面側には裏カバーが設けられる。
【０１００】
これら表カバーおよび裏カバーには、たとえば撥水加工が施されたポリエステル繊維生地などの防水性がある強度の高い合成繊維素材が採用される。また、裏カバーには、同繊維素材に加えて、さらに強度の高いアラミド繊維シートを重ねた２層構造のシートを採用することもできる。
【０１０１】
以上のような構成によると、上記基布２１に対して防護プレート収納部形成布２４，２４・・の周囲を、所定の位置関係で相互にヒートシールするのみで、容易に、しかも正確な位置関係で、外周の一部が相互に重なり合う複数の防護プレート収納部２３，２３・・を形成することができる。
【０１０２】
また、ヒートシールによる布材２１，２４相互の接合部は、接着機能のあるヒートシールテープ６を介して予め仮止めされるので、以後のヒートシール作業が容易であるとともに、ヒートシール完了後は、布材２１，２４相互の素材が融着して確実に一体化されているので、その接合力は強力であり、より安定した、保持力の高い防護プレート収納部２３，２３・・を形成することができる。
【０１０３】
しかも、この実施の形態の場合、上記複数枚の防護プレート２２，２２・・および防護プレート収納部２３，２３・・は、正方形に近い長方形状の比較的寸法の小さいものに形成されており、縦方向および横方向の何れの方向にもそれぞれ複数個配置されている。
【０１０４】
したがって、このような構成によると、上記複数の防護プレート収納部２３，２３・・部分に収納された複数枚の防護プレート２２，２２・・相互間の相対的な変形が一層容易になり、プロテクター本体部２０全体の変形も一段と容易になるので、エプロン型のプロテクターだけでなく、ズボン型のプロテクターや腕カバー型のプロテクター、それらが一体になった防護服型のプロテクターを構成する場合に、より一層適したものとなる。
【０１０５】
また、実施の形態１の場合と同様に、重量も小さく、従来に比べて遥かに軽量なものとすることができる。
（その他の実施形態）
上述した実施の形態１の場合において、左右方向に１枚の防護プレート４，４・・は、収納部５，５・・を複数に分割することにより、それらを左右方向に複数に分割することも可能である。そのようにすると、より変形しやすくなり、装着感、作業性が向上する。
【０１０６】
さらに、上述した実施の形態２における複数の防護プレート収納部２３，２３・・の形成方法は、上述のような形成方法以外にも、種々の変形パターンが考えられる。
【０１０７】
たとえば、上述のような、左から右、下から上への重ね方だけでなく、その逆の重ね方、また一つの防護プレート収納部２３，２３・・毎の形成ではなく、縦または横の複数個を一組として形成したユニット構造の収納部形成シートを基布２１に接合してゆくことも考えられる。
【０１０８】
要するに、屋根の瓦と同様の配列や魚の鱗と同様の配列など、隣り合う防護プレート同士の有効な重なりと、相互の自由な動きが実現される配列方法であれば、どのような配列方法を採用しても良い。
【符号の説明】
【０１０９】
１は上層側の布材
２は中層側の布材
３は下層側の布材
４は防護プレート
５は防護プレート収納部
６はヒートシールテープ
１０、２０はプロテクター本体部
２１は基布
２２は防護プレート
２３は防護プレート収納部
２４は防護プレート収納部形成布
【図１】
0006562214.tif 000002
【図２】
0006562214.tif 000003
【図３】
0006562214.tif 000004
【図４】
0006562214.tif 000005
【図５】
0006562214.tif 000006
【図６】
0006562214.tif 000007
【図７】
0006562214.tif 000008
【図８】
0006562214.tif 000009
【図９】
0006562214.tif 000010
【図１０】
0006562214.tif 000011